(57)【要約】【課題】カセット側面の強度を高めることにより、画像形成装置本体に対して確実に位置決め可能なシート収納カセット、シート給送装置並びに画像形成装置を提供する。【解決手段】シート収納カセットは、カセットベースと、一対のインナーレールと、を備える。各インナーレールは、長手方向の２箇所においてカセットベース側に突出する一対の位置決めボスと、カセットベース側に断面Ｌ字状に突出し、位置決めボスの間に１つ以上形成されるフック部と、を有する。カセットベースは、シート収納カセットの挿抜方向と平行な側面に形成され、位置決めボスが嵌合する取り付け孔と、取り付け孔と位置決めボスとが嵌合した状態でインナーレールの長手方向の２箇所に当接する位置決め面と、取り付け孔と位置決めボスとが嵌合した状態でフック部に対し挿抜方向と直交する方向に嵌合する被嵌合部と、を有する。【選択図】図９
2019131359.tif 000002
【特許請求の範囲】
【請求項１】
シート状の記録媒体を収納するカセットベースと、
前記カセットベースに対し着脱可能であり、画像形成装置本体のカセット収納部に固定された一対のアウターレールに摺動可能に連結される一対のインナーレールと、
を備え、前記カセット収納部に対し挿抜可能なシート収納カセットにおいて、
前記各インナーレールは、
長手方向の２箇所において前記カセットベース側に突出する一対の位置決めボスと、
前記位置決めボスの間に１つ以上形成され、前記カセットベース側に突出する断面Ｌ字状のフック部と、
を有し、
前記カセットベースは、
前記シート収納カセットの挿抜方向と平行な側面に形成され、前記位置決めボスが嵌合することにより前記インナーレールに対する前記カセットベースの取り付けを行う取り付け孔と、
前記取り付け孔と前記位置決めボスとが嵌合した状態で前記インナーレールの長手方向の２箇所に当接することにより前記インナーレールに対する前記カセットベースの前記挿抜方向と直交する方向の位置決めを行う位置決め面と、
前記取り付け孔と前記位置決めボスとが嵌合した状態で前記フック部に対し前記挿抜方向と直交する方向に嵌合する被嵌合部と、
を有するシート収納カセット。
【請求項２】
前記取り付け孔は、下方が開口した円弧状に形成されており、前記カセットベースを前記インナーレールに対して上方向に移動させることにより前記取り付け孔と前記位置決めボスとの嵌合状態が解除されることを特徴とする請求項１に記載のシート収納カセット。
【請求項３】
前記フック部は、前記インナーレールとの間で前記被嵌合部を挟み込む嵌合面を有し、
前記被嵌合部は、前記嵌合面と当接する被嵌合面を有し、
前記嵌合面および前記被嵌合面は、上から下方向に向かって前記インナーレールに近づく方向に傾斜する傾斜面であることを特徴とする請求項２に記載のシート収納カセット。
【請求項４】
請求項１乃至請求項３のいずれかに記載のシート収納カセットと、
前記シート収納カセットに収納される前記記録媒体を給送するフィードローラーと、前記フィードローラーに対し接離可能なリタードローラーと、前記フィードローラーに対し前記リタードローラーを接触または離間させるリタード接離レバーと、が設けられる前記カセット収納部と、を有し、
前記側面には、前記シート収納カセットが前記カセット収納部に挿入された状態で前記リタード接離レバーを押圧する押圧リブが設けられ、前記被嵌合部は前記挿抜方向において前記押圧リブと重なる位置に設けられることを特徴とするシート給送装置。
【請求項５】
請求項１乃至請求項３のいずれかに記載のシート収納カセットを備えた画像形成装置。
【請求項６】
請求項４に記載のシート給送装置を備えた画像形成装置。
【発明の詳細な説明】
【技術分野】
【０００１】
本発明は、カセットベース内にシート状の記録媒体を積載して収納するシート収納カセット及びそれを備えたシート給送装置並びに画像形成装置に関するものである。
【背景技術】
【０００２】
複写機、プリンター、ファクシミリ等の画像形成装置においては、各種サイズのシート（用紙）を適宜に積載することができるシート収納カセットが画像形成装置本体に対し挿脱可能に設けられている。
【０００３】
シート収納カセットは、画像形成装置本体側に設けられるアウターレールと、シート収納カセット側に設けられるインナーレールとを有するスライドレールによって画像形成装置本体に対し挿入及び引き出し可能に装着される。
【０００４】
例えば特許文献１には、画像形成装置本体に設置されているレールにスライド可能に連結されるスライドレールと、スライドレールに固定されシートを載置するシート載置部と、シート載置部の載置面上に設けられた、載置されたシートを持ち上げるための金属製のリフト板と、給紙カセットが少なくとも本体から引き出された時と本体に収納された時に、スライドレールを介して、又は給紙カセットが収納される空間を形成する本体の内側面に設けられた本体側導電部を介して、リフト板と本体を電気的に導通させる導通部材と、を備えた給紙カセットが開示されている。
【０００５】
また特許文献２には、横断面形状が略Ｃ形状の固定側レールと、固定側レール内に設けられ、固定側レールの両側にボールベアリングを配置して固定側レールの長さ方向に滑動自在に設けられたボールリテーナーと、固定側レール内に配置され、かつボールリテーナーに取り付けられてボールベアリングによってボールリテーナーに対して滑動自在に設けられた移動レールと、を備え、移動側レールが固定側レールの手前側に引き出されてボールリテーナーから取り外され、あるいは手前側からボールリテーナーに挿入することで、移動側レールが固定側レールに対して挿抜可能に構成されたスライドレールが開示されている。ボールリテーナーは固定側レールの長さ方向に複数設けられ、そのうちの一つは、固定側レールの手前側端部に配置されたガイドリテーナーとなっている。
【先行技術文献】
【特許文献】
【０００６】
【特許文献１】特開２００７−２１７１８５号公報
【特許文献１】特開２０１４−４６０４５号公報
【発明の概要】
【発明が解決しようとする課題】
【０００７】
ところで、シート収納カセットは樹脂により成形されることが多いため、カセット底部への用紙の荷重によりカセット底部が撓んでカセット側面が内側へ倒れるという問題点がある。カセット側面が内側へ倒れた場合、シート収納カセットとスライドレールとの間の位置精度が低下し、画像形成装置本体に挿入されたシート収納カセットを確実に位置決めすることができないため、用紙の斜行（スキュー）や不送り等の給紙不良が発生するおそれがあった。近年、Ａ３サイズを超える大サイズの用紙に対応するため、シート収納カセット自体の大型化が進んでいる。そのため、シート収納カセットに収納可能な用紙の重量も重くなり、カセット側面の倒れはより顕著となっている。
【０００８】
本発明は、上記問題点に鑑み、簡易な構成でカセット側面の強度を高めることにより、画像形成装置本体に対して確実に位置決め可能なシート収納カセット及びそれを備えたシート給送装置並びに画像形成装置を提供することを目的とする。
【課題を解決するための手段】
【０００９】
上記目的を達成するために本発明の第１の構成は、カセットベースと、一対のインナーレールと、を備え、画像形成装置本体のカセット収納部に対し挿抜可能なシート収納カセットである。カセットベースは、シート状の記録媒体を収納する。一対のインナーレールは、カセットベースに対し着脱可能であり、カセット収納部に固定された一対のアウターレールに摺動可能に連結される。各インナーレールは、一対の位置決めボスと、フック部と、を有する。一対の位置決めボスは、長手方向の２箇所においてカセットベース側に突出する。フック部は、カセットベース側に断面Ｌ字状に突出し、位置決めボスの間に１つ以上形成される。カセットベースは、取り付け孔と、位置決め面と、被嵌合部と、を有する。取り付け孔は、シート収納カセットの挿抜方向と平行な側面に形成され、位置決めボスが嵌合する。位置決め面は、取り付け孔と位置決めボスとが嵌合した状態でインナーレールの長手方向の２箇所に当接することによりインナーレールに対するカセットベースの挿抜方向と直交する方向の位置決めを行う。被嵌合部は、取り付け孔と位置決めボスとが嵌合した状態でフック部に対し挿抜方向と直交する方向に嵌合する。
【発明の効果】
【００１０】
本発明の第１の構成によれば、インナーレールのフック部とカセットベースの側面の被嵌合部との嵌合によって、側面とインナーレールとの面方向の位置決めを行う嵌合形状が、２箇所の位置決め面とは別にもう一箇所設けられる。そして、カセットベースの側面がインナーレールのフック部によって外側に引っ張られるため、側面の内側への倒れが抑制される。従って、補助部材を用いることなく側面の強度を確保することができ、側面の位置決め精度が向上する。さらに、カセットベースに収納されるシートとカセット収納部側の給紙ユニットとの位置関係も安定するため、シートの給送不良の発生を抑制することができる。
【図面の簡単な説明】
【００１１】
【図１】本発明の一実施形態に係る給紙カセット１ａ、１ｂを備えた画像形成装置１００の内部構造を示す概略断面図
【図２】本実施形態の給紙カセット１ａを上方から見た外観斜視図
【図３】給紙ユニット１１７ａ、１１７ｂをカセット挿入方向から見た部分斜視図
【図４】カセット収納部１０１に設けられるスライドレール４０を表面側（カセット収納部１０１側）から見た斜視図
【図５】スライドレール４０を構成するインナーレール４３を裏面側（給紙カセット１ａ側）から見た斜視図
【図６】給紙カセット１ａを側面１０ａ側から見た部分斜視図
【図７】図６における被嵌合部５３周辺の拡大斜視図
【図８】カセットベース１０の側面１０ａにインナーレール４３を装着した状態を示す給紙カセット１ａの側面図
【図９】インナーレール４３が装着されたカセットベース１０の側面１０ａの断面図
【図１０】カセット収納部１０１に対して給紙カセット１ａを挿抜する途中の状態を示す斜視図
【図１１】給紙カセット１ａがカセット収納部１０１内の給紙位置まで挿入された状態を示す斜視図
【図１２】フック部５０と被嵌合部５３との嵌合が解除されたカセットベース１０の側面１０ａの断面図
【発明を実施するための形態】
【００１２】
以下、図面を参照しながら本発明の実施形態について説明する。図１は、本発明の一実施形態に係る給紙カセット１ａ、１ｂを備えた内部構造を示す側面断面図である。なお、図中の実線矢印は用紙Ｐの搬送経路、及び搬送方向を示す。
【００１３】
図１において、画像形成装置１００の下部には、カセット収納部１０１が配置されている。カセット収納部１０１には、２つの給紙カセット１ａ、１ｂが備えられている。この給紙カセット１ａ、１ｂの内部に、印字前のカットペーパー等の用紙Ｐの束が積載して収容され、画像形成装置１００本体に備えられた給紙ユニット１１７ａ、１１７ｂにより用紙Ｐの束から用紙Ｐが１枚ずつ分離して送り出される。
【００１４】
給紙ユニット１１７ａは、給紙カセット１ａに対応して設けられたピックアップローラー２９ａと、フィードローラー３０ａと、フィードローラー３０ａに圧接されるリタードローラー３１ａと、を有する。給紙ユニット１１７ｂは、給紙カセット１ｂに対応して設けられたピックアップローラー２９ｂと、フィードローラー３０ｂと、フィードローラー３０ｂに圧接されるリタードローラー３１ｂと、を有する。
【００１５】
手差し給紙部１０２は、画像形成装置１００の右側面上部の外部に備えられている。手差し給紙部１０２には、カセット収納部１０１と異なるサイズや厚みの用紙や、ＯＨＰシート、封筒、葉書き、送り状等のように１枚ずつ送り込まれるものが載置される。
【００１６】
画像形成装置１００内には用紙搬送部１０３が配置されている。用紙搬送部１０３は、カセット収納部１０１に対し、給紙方向下流側である右方に位置し、手差し給紙部１０２に対し、給紙方向下流側である左方に位置する。カセット収納部１０１から送り出された用紙Ｐは、用紙搬送部１０３により画像形成装置１００本体の側面に沿って垂直上方に搬送され、手差し給紙部１０２から送り出された用紙Ｐは水平に搬送される。
【００１７】
画像形成装置１００の上面には原稿搬送装置１０４が配置され、その下方には画像読取部１０５が配置されている。原稿の複写を行う場合には、原稿搬送装置１０４に複数枚の原稿を積載する。原稿搬送装置１０４では原稿が１枚ずつ分離して送り出され、画像読取部１０５によってその画像データが読み取られる。
【００１８】
用紙搬送部１０３の用紙搬送方向下流側であって、画像読取部１０５の下方には、画像形成部１０６、及び転写部１０７が配置されている。画像形成部１０６では、画像読取部１０５によって読み取られた画像データに基づいて原稿画像の静電潜像が形成され、この静電潜像が現像されてトナー像が形成される。一方、画像形成部１０６におけるトナー像の形成タイミングと同期をとってカセット収納部１０１から用紙搬送部１０３を介して用紙Ｐが転写部１０７に搬送される。画像形成部１０６において形成されたトナー像は、転写部１０７において用紙Ｐ上に転写される。
【００１９】
転写部１０７の下流側には、定着部１０８が配置されている。転写部１０７においてトナー像が転写された用紙Ｐは、定着部１０８へと搬送され、加熱ローラー及び加圧ローラーから成る定着ローラー対のニップ部を通過することにより、用紙Ｐ上のトナー像が定着されて永久像とされる。定着部１０８から排出された用紙Ｐは、画像形成装置１００の左側面外側に設けられた用紙排出トレイ１１１に排出される。
【００２０】
次に、画像形成装置１００に対し着脱可能である給紙カセット１ａの詳細な構成について説明する。図２は、給紙カセット１ａを前面側上方から見た外観斜視図である。なお、ここでは給紙カセット１ａの構成について説明するが、給紙カセット１ｂについても全く同様の構成である。また、図２において、カセット収納部１０１に対する給紙カセット１ａの挿入方向を矢印Ａ、引き出し方向を矢印Ａ′で示し、給紙カセット１ａからの給紙方向を矢印Ｂで示す。
【００２１】
給紙カセット１ａは、図１に示す画像形成装置１００のカセット収納部１０１に収納される。給紙カセット１ａの本体部であるカセットベース１０は、上面が開口した平らな箱で構成され、その上面方向から用紙Ｐを積載して収容する。画像形成装置１００内部のカセット収納部１０１において、給紙カセット１ａの上方には、給紙ユニット１１７ａ（図１参照）が備えられ、用紙Ｐ（図１参照）は図２に示す矢印Ｂ方向に供給される。カセットベース１０の前面部にはカセットカバー３が装着されている。カセットカバー３は、その表面側（図２の左手前側）が外部に露出して画像形成装置１００本体の外装面の一部を構成する。カセットカバー３には給紙カセット１ａをカセット収納部１０１に対し挿抜する際に把持する把持部３ａが設けられている。
【００２２】
給紙カセット１ａは、カセットベース１０の挿抜方向（矢印ＡＡ′方向）に平行な側面１０ａ、１０ｂの外側に設けられた取り付け孔２０（図６参照）をカセット収納部１０１に設けられたスライドレール４０の位置決めボス４７（図５参照）に係合させ、図２に示す矢印Ａ方向に水平にスライドしてカセット収納部１０１に挿入される。
【００２３】
カセットベース１０の内部には、用紙Ｐが積載される用紙積載板、用紙積載板に積載される用紙Ｐの幅方向の位置決めを行う一対の幅規制カーソル、用紙Ｐのサイズに応じた位置に配置することで用紙積載板に積載された用紙Ｐの後端を整合する後端カーソル（いずれも図示せず）が設けられる。用紙搬送部１０３（図１参照）に向けて用紙Ｐが矢印Ｂ方向に送出されるため、用紙Ｐの後端を揃える後端カーソルは、カセットベース１０に形成されたカーソル案内溝１１ａに沿って給紙方向（矢印Ｂ方向）と平行に往復移動可能に設けられている。また、用紙Ｐの幅方向の位置決めを行う一対の幅規制カーソルは、カセットベース１０に形成されたカーソル案内溝１１ｂに沿って給紙方向と直交する方向（矢印ＡＡ′方向）に往復移動可能に設けられる。
【００２４】
図３は、給紙ユニット１１７ａ、１１７ｂをカセット挿入方向から見た部分斜視図である。図３に示すように、給紙ユニット１１７ａ、１１７ｂは、画像形成装置１００の背面側及び正面側に対向配置される一対の側面フレーム１００ａ、１００ｂ（図３では正面側の側面フレーム１００ｂは図示せず）の間に形成されたカセット収納部１０１に着脱可能に支持されている。
【００２５】
ピックアップローラー２９ａ、２９ｂの下方にはリタード接離レバー６０が設けられている。カセット収納部１０１に給紙カセット１ａ、１ｂが装着されることにより、リタード接離レバー６０が押圧されてリタードローラー３１ａ、３１ｂ（図１参照）のフィードローラー３０ａ、３０ｂ側への移動が許容され、フィードローラー３０ａとリタードローラー３１ａ、フィードローラー３０ｂとリタードローラー３１ｂがそれぞれ接触して給紙ローラー対を形成する。
【００２６】
図４は、カセット収納部１０１に設けられるスライドレール４０を表面側（カセット収納部１０１側）から見た斜視図であり、図５は、スライドレール４０を構成するインナーレール４３を裏面側（給紙カセット１ａ側）から見た斜視図である。スライドレール４０は金属製であり、カセット収納部１０に固定されるアウターレール４１と、アウターレール４１に摺動可能に挿入されるインナーレール４３とを有する。インナーレール４３は、カセットベース１０の側面１０ａ、１０ｂに対し着脱可能である。
【００２７】
アウターレール４１は、細長い板状の本体部４１ａと、本体部４１ａの長手方向の両側端を裏面側に折り曲げて形成される折曲縁４１ｂと、を有し、長手方向と直交する方向の断面形状が略Ｃ形状である。
【００２８】
インナーレール４３は、アウターレール４１とほぼ同じ長さに形成された細長い板状の本体部４３ａと、本体部４３ａの長手方向の両側端を表面側に折り曲げて形成される折曲縁４３ｂと、を有し、長手方向と直交する方向の断面形状がアウターレール４１と逆向きの略Ｃ形状である。
【００２９】
アウターレール４１の折曲縁４１ｂ、４１ｂの内側には、長手方向に沿って所定の間隔で複数のボールが回転可能に保持されたボールベアリング（図示せず）が配置されている。ボールベアリングは、インナーレール４３の折曲縁４３ｂの外側面に対向している。折曲縁４１ｂと折曲縁４３ｂの間をボールベアリングのボールが転がることにより、インナーレール４３がアウターレール４１に対して摺動可能に保持されている。また、アウターレール４１に対するインナーレール４３の挿入方向下流側の端部には、インナーレール４３がアウターレール４１から離脱するのを防止するための抜け止め機構（図示せず）が設けられている。
【００３０】
インナーレール４３は、本体部４３ａの長手方向の両端部近傍の２箇所から裏面側に突出する位置決めボス４７を有する。位置決めボス４７は、カセットベース１０の側面１０ａ、１０ｂに設けられた取り付け孔２０（図６参照）に係合する。
【００３１】
また、インナーレール４３の本体部４３ａには、２箇所の位置決めボス４７の間にフック部５０が設けられている。フック部５０は、本体部４３ａから裏面側に断面視Ｌ字状に突出している。
【００３２】
図６は、給紙カセット１ａを側面１０ａ側から見た部分斜視図であり、図７は、図６における被嵌合部５３周辺の拡大斜視図である。カセットベース１０の側面１０ａの２箇所には、給紙カセット１ａをインナーレール４３に取り付けるための取り付け孔２０が設けられている。取り付け孔２０は、下方が開口した円弧状に形成されている。
【００３３】
インナーレール４３に対する給紙カセット１ａの取り付け手順としては、先ず、アウターレール４１からインナーレール４３を引き出し、インナーレール４３の位置決めボス４７にカセットベース１０の側面１０ａに形成された取り付け孔２０に挿入して給紙カセット１ａを取り付ける。これにより、ビスや工具を使用することなく給紙カセット１ａを簡単に取付可能となる。また、取り付け孔２０と位置決めボス４７との係合によってインナーレール４３に対してカセットベース１０が挿抜方向（矢印ＡＡ′方向）に位置決めされる。
【００３４】
取り付け孔２０の近傍には位置決め面５１ａ、５１ｂが設けられている。インナーレール４３の位置決めボス４７が取り付け孔２０に係合したとき、本体部４３ａが位置決め面５１ａ、５１ｂに当接する。
【００３５】
カセットベース１０の側面１０ａにはインナーレール４３のフック部５０が係合する被嵌合部５３が設けられている。図７に示すように、被嵌合部５３の下方にはフック部５０が挿入される開口部５４が設けられている。被嵌合部５３の上方には、カセット収納部１０１に設けられたリタード接離レバー６０（図３、図９参照）を押圧する押圧リブ５５が設けられている。被嵌合部５３は、給紙カセット１ａの挿抜方向（矢印ＡＡ′方向）において押圧リブ５５と重なる位置に設けられている。
【００３６】
図８は、カセットベース１０の側面１０ａにインナーレール４３を装着した状態を示す給紙カセット１ａの側面図であり、図９は、インナーレール４３が装着されたカセットベース１０の側面１０ａの断面図（図８のＸＸ矢視断面図）である。なお、図８及び図９ではカセットベース１０の側面１０ａ側の構成について説明するが、側面１０ｂ側についても同様の構成であるため説明を省略する。
【００３７】
画像形成装置１００の組み立て時に、アウターレール４１から引き出されたインナーレール４３の位置決めボス４７にカセットベース１０の側面１０ａ、１０ｂに設けられた取り付け孔２０を嵌め込む。これにより、インナーレール４３に対しカセットベース１０が挿抜方向（矢印ＡＡ′方向）に位置決めされる。また、位置決めボス４７を取り付け孔２０に嵌め込んだとき、インナーレール４３の裏側面と側面１０ａの位置決め面５１ａ、５１ｂとが当接する。これにより、インナーレール４３に対しカセットベース１０が挿抜方向と直交する方向に位置決めされる。
【００３８】
さらに図９に示すように、インナーレール４３の裏側面に突出する断面視Ｌ字状のフック部５０が、側面１０ａに形成された開口部５４を介して被嵌合部５３に嵌合する。フック部５０は、本体部４３ａとの間でカセットベース１０の側面１０ａ、１０ｂに設けられた被嵌合部５３を挟み込む略垂直な嵌合面５０ａ（図１２参照）を有する。即ち、側面１０ａとインナーレール４３との面方向（図９の左右方向）の位置決めを行う嵌合形状が、位置決め面５１ａ、５１ｂとは別にもう一箇所設けられる。
【００３９】
図１０は、カセット収納部１０１に対して給紙カセット１ａを挿抜する途中の状態を示す斜視図、図１１は、給紙カセット１ａがカセット収納部１０１内の給紙位置まで挿入された状態を示す斜視図である。図１０に示すように、給紙カセット１ａをカセット収納部１０１に挿入することにより、インナーレール４３がアウターレール４１に挿入される。給紙カセット１ａがカセット収納部１０１内の所定位置（給紙位置）まで挿入されたとき、図１１に示すように、インナーレール４３がアウターレール４１内に完全に収納された状態となる。
【００４０】
給紙カセット１ａが給紙位置まで挿入されたとき、カセットベース１０の側面１０ａに設けられた押圧リブ５５がカセット収納部１０１に設けられたリタード接離レバー６０（図９参照）を押圧する。リタード接離レバー６０が押圧されると、リタード接離機構（図示せず）によってリタードローラー３１ａ（図１参照）が押し上げられ、フィードローラー３０ａに当接する。
【００４１】
本実施形態によれば、インナーレール４３のフック部５０と側面１０ａの被嵌合部５３との嵌合によって、カセットベース１０の側面１０ａがインナーレール４３によって外側（図９の矢印方向）に引っ張られるため、側面１０ａの内側への倒れが抑制される。従って、補助部材を用いることなく側面１０ａの強度を確保することができ、側面１０ａの位置決め精度が向上する。さらに、カセットベース１０内に収納される用紙Ｐとカセット収納部１０１側の給紙ユニット１１７ａとの位置関係も安定するため、給紙不良の発生を抑制することができる。
【００４２】
また、フック部５０と嵌合する被嵌合部５３が、給紙カセット１ａの挿抜方向において押圧リブ５５と重なる位置に設けられるため、特に押圧リブ５５の近傍における側面１０ａの位置決め精度が向上する。従って、給紙カセット１ａが給紙位置まで挿入されたとき、押圧リブ５５によってリタード接離スイッチ６０を確実に押圧することができる。
【００４３】
一方、カセット収納部１０１内の給紙ユニット１１７ａを取り外してメンテナンスを行う場合や、カセット収納部１０１内のジャム処理を行う場合は、給紙カセット１ａを最大限引き出した状態でカセットベース１０を上方に持ち上げて取り付け孔２０と位置決めボス４７との嵌合を解除し、インナーレール４３からカセットベース１０を取り外す。
【００４４】
図１２は、フック部５０と被嵌合部５３との嵌合が解除されたカセットベース１０の側面１０ａの断面図である。図１２に示すように、フック部５０の嵌合面５０ａと、被嵌合部５３の被嵌合面５３ａが、いずれも上から下方向に向かってインナーレール４３に近づく方向（図１１の右方向）に傾斜する傾斜面となっている。これにより、給紙カセット１ａを上方に持ち上げるだけでフック部５０と被嵌合部５３との嵌合を円滑に解除することができ、インナーレール４３に対するカセットベース１０の着脱操作も容易となる。
【００４５】
その他、本発明は上記実施形態に限定されず、本発明の趣旨を逸脱しない範囲で種々の変更が可能である。例えば上記実施形態においては、側面１０ａの被嵌合部５３を給紙カセット１ａの挿抜方向において押圧リブ５５と重なる位置に設けたが、フック部５０及び被嵌合部５３の配置はインナーレール４３の長手方向の中央部等の他の位置であってもよい。また、フック部５０及び被嵌合部５３は２箇所以上に設けてもよい。
【００４６】
また、上記実施形態ではアウターレール４１とインナーレール４３とで構成されるスライドレール４０を用いているが、アウターレール４１とインナーレール４３の間にミドルレールを設け、スライドレール４０が３段階に伸縮する構成としてもよい。
【産業上の利用可能性】
【００４７】
本発明は、カセットベース内にシート状の記録媒体を積載して収納するシート収納カセットに利用可能である。本発明の利用により、簡易な構成でシート収納カセットの側面の強度を高めることができ、側面の倒れを効果的に抑制することができるシート収納カセット及びそれを備えた画像形成装置を提供することができる。
【符号の説明】
【００４８】
１ａ、１ｂ      給紙カセット（シート収納装置）
１０            カセットベース（シート収納部）
１０ａ、１０ｂ  側面
２０            取り付け孔
３０ａ、３０ｂ  フィードローラー
３１ａ、３１ｂ  リタードローラー
４０            スライドレール
４１            アウターレール
４３            インナーレール
４７            位置決めボス
５０            フック部
５０ａ          嵌合面
５１ａ、５１ｂ  位置決め面
５３            被嵌合部
５３ａ          被嵌合面
５４            開口部
５５            押圧リブ
６０            リタード接離レバー
１００          画像形成装置
１０１          カセット収納部
Ｐ              用紙（シート）
【図１】
2019131359.tif 000003
【図２】
2019131359.tif 000004
【図３】
2019131359.tif 000005
【図４】
2019131359.tif 000006
【図５】
2019131359.tif 000007
【図６】
2019131359.tif 000008
【図７】
2019131359.tif 000009
【図８】
2019131359.tif 000010
【図９】
2019131359.tif 000011
【図１０】
2019131359.tif 000012
【図１１】
2019131359.tif 000013
【図１２】
2019131359.tif 000014